(57)【要約】【課題】二つの閉鎖的空間構造体の間のデッドスペースを簡易に有効活用可能な開放型空間構造体を提供する。【解決手段】２つの閉鎖型空間構造体（６、７）の対向する側壁（８、８）同士の間に生じるデッドスペース（５）に形成してなる開放型空間構造体（１）であって、閉鎖型空間構造体（６、７）の対向する側壁（８、８）の、前端側の上側部分同士および後端側の上側部分同士をそれぞれ連結する２本の主連結杆（１１ａ、１１ｂ）を少なくとも有し、これにより、デッドスペースを新たな有効活用スペースとして利用可能にすることを特徴とする。【選択図】  図１
2017110387.tif 000002
【特許請求の範囲】
【請求項１】
ほぼ閉ざされた内部空間を区画形成する、側壁を含む周囲壁をもつ複数の閉鎖型空間構造体を、左右方向に間隔をおいて独立して配置し、該複数の閉鎖型空間構造体のうち、少なくとも２つの閉鎖型空間構造体の対向する側壁同士の間に生じるデッドスペースに形成してなる開放型空間構造体であって、
前記少なくとも２つの閉鎖型空間構造体の対向する側壁の、前端側の上側部分同士および後端側の上側部分同士をそれぞれ連結する２本の主連結杆を少なくとも有し、これにより、前記デッドスペースを新たな有効活用スペースとして利用可能にすることを特徴とする開放型空間構造体。
【請求項２】
前記主連結杆の連結位置は、前記閉鎖型空間構造体の側壁の高さよりも低いことを特徴とする請求項１に記載の開放型空間構造体。
【請求項３】
前記２本の主連結杆に、前記閉鎖型空間構造体の側壁側に寄せた位置で該側壁に対して略平行に渡設される補助連結杆をさらに有することを特徴とする請求項１または２のいずれか１項に記載の開放型空間構造体。
【請求項４】
前記少なくとも２つの閉鎖型空間構造体の側壁同士、または前記補助連結杆が複数本である場合の前記補助連結杆同士に、前記２本の主連結杆の間で略平行に渡設される追加連結杆をさらに有することを特徴とする請求項３に記載の開放型空間構造体。
【発明の詳細な説明】
【技術分野】
【０００１】
本発明は、例えばオフィス、展示場、病院、学校等の広い室内空間に、業務環境や業務形態等の変化に容易且つ柔軟に対応可能な開放型空間構造体に関し、特に閉鎖型空間構造体の間のデッドスペースを有効活用する開放型空間構造体に関する。
【背景技術】
【０００２】
複数の空間構造体の間にデッドスペースがあり、そのデッドスペースが活用されていない場合に、そのデッドスペースの有効活用を図り有効なワークスペース等を形成しようとすることは、従来からよく行われていることである。
【０００３】
例えば、特許文献１においては、立面パネルと天板とからなる２列に並んだワークステーションの間の奥側に、部屋等の空間構造体を設け、ワーキングスペースとミーティングスペースを合理的に構成することが記載されている。
【０００４】
特許文献２においては、例えば図２２において、左右のそれぞれの側に複数の部屋からなる部屋列が配置されており、左右の部屋列の間のスペースの中央部に新たに支柱を設け、これらの支柱を介して左右の部屋列の間に連結杆を左右に渡設することが開示されている。
【０００５】
特許文献３においては、左右それぞれに複数の部屋からなる部屋列が配置されており、左右の部屋列の間のスペースに部屋列を構成する部屋と椅子を配置し、スペースの有効活用を図ることが開示されている。
【先行技術文献】
【特許文献】
【０００６】
【特許文献１】特開２０１０−１１６７１３号公報
【特許文献２】米国特許第５８０９７０８号明細書
【特許文献３】特表２００２−５２３６５８号公報
【発明の概要】
【発明が解決しようとする課題】
【０００７】
しかしながら、特許文献１においては、部屋等の空間構造体は、２列に並んだワークステーションの奥側に近接して単に増設されたものであり、２列に並んだワークステーションの間のデッドスペースの有効活用を図ったものではない。
【０００８】
特許文献２においては、左右の部屋列の間には新たな支柱を設ける必要があり、左右の部屋列の間に渡設される左右の連結杆は新たに設けた支柱を介して渡設されているのであり、左右の部屋列の間のデッドスペースを簡易に有効活用したものではない。
【０００９】
特許文献３においては、左右の部屋列の間のスペースに配置した部屋と左右の部屋列の各々との間には、通路を確保する必要があるのであり、左右の部屋列の間のデッドスペースの有効活用を図っているものとはいえない。
【００１０】
また、図７は従来の空間構造体のレイアウトを示す図であり、図７に示すように、従来においては既設の二つの空間構造体１０１、１０２の側壁の間のデッドスペース１００は、単に立ち話をしたり近道の通路として使用されたりするだけであり、まとまり感があって使用感を持たせる開放型空間構造体としては機能していないものであった。
【００１１】
上述のように、従来においては、二つの空間構造体の間のデッドスペースが簡易且つ機能的に有効活用されているとはいえない。
【００１２】
本発明は、上述の課題に鑑みてなされたものであり、その目的は、二つの閉鎖型空間構造体の間のデッドスペースを簡易に有効活用可能な開放型空間構造体を提供することである。
【課題を解決するための手段】
【００１３】
上記目的を達成するために、本発明に係る開放型空間構造体は、ほぼ閉ざされた内部空間を区画形成する、側壁を含む周囲壁をもつ複数の閉鎖型空間構造体を、左右方向に間隔をおいて独立して配置し、該複数の閉鎖型空間構造体のうち、少なくとも２つの閉鎖型空間構造体の対向する側壁同士の間に生じるデッドスペースに形成してなる開放型空間構造体であって、前記少なくとも２つの閉鎖型空間構造体の対向する側壁の、前端側の上側部分同士および後端側の上側部分同士をそれぞれ連結する２本の主連結杆を少なくとも有し、これにより、前記デッドスペースを新たな有効活用スペースとして利用可能にすることを特徴とする。
【００１４】
本構成によれば、二つの閉鎖型空間構造体の側壁を開放型空間構造体の構成要素として活用し、これらの側壁の前端側の上側部分同士および後端側の上側部分同士をそれぞれ連結する２本の主連結杆を有するので、二つの閉鎖型空間構造体の間のデッドスペースが、通路として利用されるのではなく、落ち着いたコラボスペースとして利用することができ、斬新でまとまり感のある開放型空間構造体を提供することにより、デッドスペースを新たな有効活用スペースとして簡易に利用することができる。
【００１５】
本発明の一態様に係る空間構造体において、前記主連結杆の連結位置は、前記閉鎖型空間構造体の側壁の高さよりも低い。本構成によれば、前記主連結杆の連結位置を閉鎖型空間構造体の側壁の高さよりも低くすることによって、主連結杆が強調されて見える結果、この開放型空間構造体を、閉鎖型空間構造体とは異なる態様で使用することが可能となり、開放的なコラボスペースを形成することが可能になる。
【００１６】
本発明の一態様に係る空間構造体において、前記２本の主連結杆に、前記閉鎖型空間構造体の側壁側に寄せた位置で該側壁に対して略平行に渡設される補助連結杆をさらに有する。本構成によれば、補助連結杆にプロジェクターや照明器具等の設置が可能となるため、かかる開放型空間構造体を簡単なイベントの開催や情報共有するためのスペースとして利用することが可能になる。
【００１７】
本発明の一態様に係る空間構造体において、前記少なくとも２つの閉鎖型空間構造体の側壁同士、または前記補助連結杆が複数本である場合の前記補助連結杆同士に、前記２本の主連結杆の間で略平行に渡設される追加連結杆をさらに有する。本構成によれば、追加連結杆に照明器具やプロジェクター等の設置が可能となるため、かかる開放型空間構造体を簡単なイベントの開催や情報共有するためのスペースとして利用することが可能になる。
【発明の効果】
【００１８】
本発明に係る構成によれば、二つの閉鎖型空間構造体の間のデッドスペースに開放型空間構造体を提供することにより、デッドスペースを新たな有効活用スペースとして簡易に利用することが可能になる。
【図面の簡単な説明】
【００１９】
【図１】本発明の第１の実施の形態に係る開放型空間構造体を示す斜視図である。
【図２】本発明の第２の実施の形態に係る開放型空間構造体を示す斜視図である。
【図３】本発明の第３の実施の形態に係る開放型空間構造体を示す斜視図である。
【図４】支柱を示す斜視図である。
【図５】支柱と主連結杆及び間仕切りパネルの連結状態を示す断面図である。
【図６】追加連結杆（主連結杆、補助連結杆）の横断面を示す断面図である。
【図７】従来の空間構造体のレイアウトを示す図である。
【発明を実施するための形態】
【００２０】
以下、本発明の実施の形態について図面を参照し説明する。
【００２１】
本発明の第１の実施の形態に係る開放型空間構造体１について説明する。図１において、開放型空間構造体１は二つの閉鎖型空間構造体６、７の間に位置するデッドスペース５に形成されている。二つの閉鎖型空間構造体６、７の各々は間仕切りパネル８によって囲われて形成されており、例えば会議室等に利用可能な部屋である。ここで、「開放型空間構造体」とは、ドアや側壁パネルなどを設けることなく、自由に出入りができる開放的な空間を形成するように構成された構造体を意味する。また、「閉鎖型空間構造体」とは、ほぼ閉ざされた内部空間を区画形成する空間構造体を意味し、完全には密室的ではなくとも他の空間構造体の使用状態によって容易には干渉を受けにくい程度に閉ざされることが可能であればよい。また、「デッドスペース」とは、屋内の広い空間内に設けた会議室等の閉鎖型空間構造体の間などに生じる、有効に使えない空間や場所（余剰スペース）を意味する。
【００２２】
デッドスペース５は、二つの閉鎖型空間構造体６、７の左右に位置する間仕切りパネル８の壁面８ａ、８ａの間に挟まれたスペースである。デッドスペース５は、開放型空間構造体１が形成されるまでは、壁面８ａ、８ａのみによって挟まれており、単に立ち話をしたり近道の便利な通路として時々使用されたりするだけのスペースである。
【００２３】
二つの閉鎖型空間構造体６、７の左右に位置する側壁としての間仕切りパネル８は、床面に立設された支柱９に取り付けられている。デッドスペース５の４隅部には、左側の閉鎖型空間構造体６の前後の２本の支柱９ａ、９ｂと、右側の閉鎖型空間構造体７の前後の２本の支柱９ｃ、９ｄとが設けられている。支柱９は長さが例えば３ｍである。
【００２４】
開放型空間構造体１は、二つの閉鎖型空間構造体６、７の間仕切りパネル８の壁面８ａ、８ｂと、一対の主連結杆１１とから構成されている。一対の主連結杆１１は、支柱９ａと支柱９ｃに左右に渡設された前側の主連結杆１１ａと、支柱９ｂと支柱９ｄに左右に渡設された後側の主連結杆１１ｂとからなる。一対の主連結杆１１は、支柱９の頂部に渡設されていてもよいが、より好ましくは、床面から例えば２．２ｍの高さ位置であって、間仕切りパネル８の壁面８ａ、８ｂの高さ位置にある支柱９の頂部よりも低い位置に渡設されている。ここで、左右とは図１において上左側と下右側を結ぶ方向をいい、前後とは下左側と上右側を結ぶ方向をいう。
【００２５】
次に、図４及び図５を参照して、支柱９と間仕切りパネル８と主連結杆１１との関係について説明する。なお、以下の説明においては、互いに別体である支柱９と間仕切りパネル８とを互いに組み付けることを前提に説明するが、支柱９と間仕切りパネル８とは当初から互いに一体的に構成されているものであってもよい。
【００２６】
図４は、支柱９を示す斜視図である。支柱９は、アルミニウム製の材質で成型されており、床と水平な断面が多角形（ここでは正方形）を有する支柱本体（本体部）３１と、正方形の各頂点位置に形成される頂角を等分する仮想線上に各頂点位置から外方に向けてそれぞれ延出した延出部３２と、正方形の各辺にそれぞれ形成された連結溝３３から構成されている。
【００２７】
図５は、支柱９ａと主連結杆１１ａ及び間仕切りパネル８の連結状態を示す断面図である。主連結杆１１は、支柱９と同様に、アルミニウム製の材質で成型されており、後述する図６に示す追加連結杆１３と同じ断面形状を有する。図５に示すように、直交する関係にある間仕切りパネル８の各々は、パネル連結部材３５を介して支柱９ａの隣接する各々の一辺に取り付けられている。間仕切りパネル８にビスによってパネル連結部材３５が取り付けられ、間仕切りパネル８に取り付けられたパネル連結部材３５は、支柱９ａの連結溝３３に挿入された当接部材にビスによって取り付けられる。これによって、パネル連結部材３５が支柱９ａに取り付けられる。また、左右連結杆１１ａは、連結杆連結部材３６を介して支柱９ａの一辺に取り付けられている。左右連結杆１１ａにビスによって連結杆連結部材３６が取り付けられ、左右連結杆１１ａに取り付けられた連結杆連結部材３６は、支柱９ａの連結溝３３に挿入された当接部材にビスによって取り付けられる。これによって、左右連結杆１１ａが支柱９ａに取り付けられる。支柱９ａについて示したが支柱９ｂ、９ｃ、９ｄについても同様に適用することができる。
【００２８】
なお、上述の説明においては、二つの閉鎖型空間構造体６、７が既設の二つの閉鎖型空間構造体であるとして説明してきたが、二つの閉鎖型空間構造体６、７は既設ではなく閉鎖型空間構造体１と同時期的に形成されるものであってもよい。
【００２９】
上述のように、間仕切りパネル８の壁面８ａ、８ｂを構成要素として活用し、新たに主連結杆１１ａと主連結杆１１ｂとからなる一対の主連結杆１１を設けて形成されただけで、開放感とまとまり感とを適度に混在して持つ開放型空間構造体１を創造することができ、例えば、開放型空間構造体１内の床面にテーブル２１や椅子２２を配置することによって適度に落ち着いたコラボスペースとして活用することができる。
【００３０】
また、一対の主連結杆１１を支柱９の頂部よりも低い位置に渡設することによって、開放型空間構造体１に、隣接する二つの閉鎖型空間構造体６、７には無い斬新性を与え、なお一層のまとまり感を与えることができる。
【００３１】
本実施の形態によれば、二つの閉鎖型空間構造体６、７の壁面８ａ、８ｂを開放型空間構造体１の構成要素として活用するとともに、主連結杆１１ａと主連結杆１１ｂとからなる一対の主連結杆１１を４隅の支柱９の間に渡設したので、二つの閉鎖型空間構造体６、７とは独立的な活用性を有する斬新でまとまり感のある開放型空間構造体１をデッドスペース５に形成することができる。この結果、一対の主連結杆１１を設けるだけで、二つの閉鎖型空間構造体６、７の壁面８ａ、８ｂの間のデッドスペース５の有効活用を簡易に図ることができる。
【００３２】
次に、図２を参照して本発明の第２の実施の形態に係る開放型空間構造体２について説明する。第１の実施の形態に係る開放型空間構造体１と同一または類似の構成については、同一の符号を付して説明を省略する。以下の他の実施の形態についても同様である。
【００３３】
本実施の形態においては、一対の主連結杆１１を構成する主連結杆１１ａと主連結杆１１ｂの間には、閉鎖型空間構造体６、７の各々の壁面８ａ、８ｂ側に寄せた位置に、補助連結杆１２ａと補助連結杆１２ｂとからなる補助連結杆１２が互いに略平行に渡設されている。補助連結杆１２ａ、１２ｂは、アルミニウム製の材質で成型され、主連結杆１１と同じ断面形状を有する。
【００３４】
また、開放型空間構造体２の後部左側には壁パネル１７ａが立設されており、後部右側には壁パネル１７ｂが立設されている。壁パネル１７ａは、支柱９ｂと、柱９ｂから補助連結杆１２ａに至る幅範囲にある主連結杆１１ｂと取り付けられており、壁パネル１７ｂは、支柱９ｄと、柱９ｄから補助連結杆１２ｂに至る幅範囲にある主連結杆１１ｂと取り付けられている。
【００３５】
補助連結杆１２ａと補助連結杆１２ｂの各々には、２台のプロジェクター２３が取り付けられている。プロジェクター２３に対応する投影スクリーンとしては、閉鎖型空間構造体６、７の壁面８ａ、８ｂ自体を使用してもよいし、壁面８ａ、８ｂに投影スクリーンを掛け下げて使用してもよい。なお、補助連結杆１２には、プロジェクター２３に代えて照明器具を取り付けることも可能である。
【００３６】
本実施の形態によれば、一対の主連結杆１１の間に補助連結杆１２ａ、１２ｂを渡設したので、プロジェクター２３を取り付けることが可能になり、テーブル２１の回りに集合する人が椅子２２に掛けながらプロジェクター２３で映し出されるスライド等を見ることができ、開放型空間構造体２の活用性あるいは機能性を上げることができる。
【００３７】
また、壁パネル１７ａ、１７ｂが設けられているので、開放型空間構造体２のまとまり感をさらに上げることができる。
【００３８】
次に、図３を参照して本発明の第３の実施の形態に係る空間構造体３について説明する。
【００３９】
本実施の形態においては、略平行に渡設された補助連結杆１２ａと補助連結杆１２ｂの間には、少なくとも１本（図３では１本）の追加連結杆１３が左右に渡設されている。追加連結杆１３は、アルミニウム製の材質で成型されており、主連結杆１１と同じ断面形状を有する。なお、追加連結杆１３は、補助連結杆１２ａと補助連結杆１２ｂの間に渡設する代わりに、相対向する閉鎖型空間構造体６、７の壁面８ａ、８ｂの頂辺の間に渡設することも可能である。
【００４０】
図６は、追加連結杆１３の断面形状を表す断面図である。図６に示すように、追加連結杆１３は、上段部に形成された連結杆凹溝３７と、中段に形成された連結杆連結部材３６等が連結される連結部材連結部３８と、下段に形成された配線ダクト部３９を備えている。連結杆凹溝３７にはＯＡタップや電線３７ａ等を配設することができる。配線ダクト部３９には、ラインコンセント等を配設することができる。
【００４１】
図３において、補助連結杆１２ａと補助連結杆１２ｂの間に渡設された追加連結杆１３の配線ダクト部３９には、列状に３個の照明器具３４が埀設されたラインコンセントが配設されている。
【００４２】
本実施の形態によれば、補助連結杆１２ａと補助連結杆１２ｂの間に追加連結杆１３を渡設し、追加連結杆１３の配線ダクト部３９にラインコンセントを設けたので、照明器具３４を使用することが可能になり、開放型空間構造体２の機能性をさらに上げることができる。
【００４３】
次に、本発明の実施の形態に係る空間構造体形成方法について説明する。
【００４４】
既設の閉鎖型空間構造体６、７の間仕切りパネル８は、支柱９ａ、９ｂ、９ｃ、９ｄに取り付けられている。間仕切りパネル８の壁面８ａ、８ｂの間には実質的に何もないデッドスペース５が形成されている。
【００４５】
まず、一対の主連結杆１１ａ、１１ｂを用意する。次に、相対向する左右の支柱９ａと支柱９ｃの間及び左右の支柱９ｂと支柱９ｄの間に、一対の主連結杆１１ａ、１１ｂを渡設する。主連結杆１１ａ、１１ｂは図５に示すようにして、支柱９ａ、９ｂ、９ｃ、９ｄに取り付けられる。
【００４６】
本実施の形態によれば、間仕切りパネル８の壁面８ａ、８ｂを構成要素として活用し、新たに主連結杆１１ａと主連結杆１１ｂとからなる一対の主連結杆１１を設けて形成されただけで、デッドスペース５に開放型空間構造体１を新たに形成することができる。この結果、二つの閉鎖型空間構造体６、７の壁面８ａ、８ｂの間のデッドスペース５の有効活用を簡易に図ることができる。
【符号の説明】
【００４７】
１、２、３  開放型空間構造体
５  デッドスペース
６、７  閉鎖型空間構造体
８  間仕切りパネル
８ａ、８ｂ  壁面
９、９ａ、９ｂ、９ｃ、９ｄ  支柱
１１、１１ａ、１１ｂ  主連結杆
１２、１２ａ、１２ｂ  補助連結杆
１３  追加連結杆
【図１】
2017110387.tif 000003
【図２】
2017110387.tif 000004
【図３】
2017110387.tif 000005
【図４】
2017110387.tif 000006
【図５】
2017110387.tif 000007
【図６】
2017110387.tif 000008
【図７】
2017110387.tif 000009